(57)【要約】【課題】電子番組表において当該テレビ番組の番組延長に関する言語表記が番組制作者により変えられた場合であっても、放送時間が延長された録画予約のテレビ番組を最後まで録画できるようにする情報記録再生装置を提供する。【解決手段】所望のテレビ番組に対する録画予約の情報がフラッシュＲＯＭに記憶された後、番組表中キーワードが番組延長キーワードと一致するか否かが判定される。番組表中キーワードが番組延長キーワードと一致しないと判定されたとき、番組表中キーワードがユーザー設定キーワードと一致するか否かが判定される。番組表中キーワードが、番組延長キーワードと一致したと判定されたとき、またはユーザー設定キーワードと一致したと判定されたとき、予め設定された延長時間が、所望のテレビ番組に対する録画予約の情報に含まれる録画終了時刻に加算されて、その録画終了時刻が延長される。【選択図】図４
2008283628.tif 000002
【特許請求の範囲】
【請求項１】
アナログのテレビ放送信号を受信して選局するチューナの出力信号から電子番組表を取り出し、その電子番組表を用いてテレビ番組を録画予約できる録画予約機能を有すると共に、記録媒体にテレビ番組やその他の情報を記録したり、記録媒体に記録されたテレビ番組やその他の情報を再生したりする情報記録再生装置において、
予めメモリに登録されている番組延長と判断するために用いる番組延長キーワードに加えて、ユーザーが番組延長と判断するために任意に設定可能なユーザー設定キーワードを設け、前記電子番組表の中の所望のテレビ番組の情報の中に有る番組延長に関するキーワードである番組表中キーワードが、前記番組延長キーワードと一致したと判定したとき、または前記ユーザー設定キーワードと一致したと判定したとき、予め設定された延長時間を、前記所望のテレビ番組に対する録画予約の情報に含まれる録画終了時刻に加算して、その録画終了時刻を延長する制御を行うシステムコントローラを備えたことを特徴とする情報記録再生装置。
【請求項２】
前記システムコントローラは、所望のテレビ番組に対する録画予約の情報がメモリに記憶された後、前記電子番組表の中の前記所望のテレビ番組の情報の中に有る番組延長に関するキーワードである番組表中キーワードがメモリに予め登録されている番組延長キーワードと一致するか否かを判定する第１のキーワード判定手段と、前記番組表中キーワードが前記番組延長キーワードと一致しないと判定されたとき、前記番組表中キーワードがユーザーにより設定されてメモリに格納されたユーザー設定キーワードと一致するか否かを判定する第２のキーワード判定手段と、前記番組表中キーワードが、前記番組延長キーワードと一致したと判定されたとき、または前記ユーザー設定キーワードと一致したと判定されたとき、予め設定された延長時間を、前記所望のテレビ番組に対する録画予約の情報に含まれる録画終了時刻に加算して、その録画終了時刻を延長する録画終了時刻延長手段と、を有することを特徴とする請求項１に記載の情報記録再生装置。
【請求項３】
前記録画終了時刻延長手段は、前記番組表中キーワードが前記番組延長キーワードと一致したと判定されたとき、または前記番組表中キーワードが前記ユーザー設定キーワードと一致したと判定されたとき、延長時間が予めジャンル毎に設定されているときはジャンルに応じた延長時間を、延長時間が予め固定に設定されているときは固定設定の延長時間を、延長時間が予めユーザーの操作により手動で設定されているときは手動設定の延長時間を、前記所望のテレビ番組に対する録画予約の情報に含まれる録画終了時刻に加算して、その録画終了時刻を延長することを特徴とする請求項２に記載の情報記録再生装置。
【発明の詳細な説明】
【技術分野】
【０００１】
本発明は、アナログのテレビ放送信号を受信して選局するチューナの出力信号から電子番組表（ＥＰＧ）を取り出し、その電子番組表を用いてテレビ番組を録画予約できる録画予約機能を有すると共に、記録媒体にテレビ番組やその他の情報を記録したり、記録媒体に記録されたテレビ番組やその他の情報を再生したりする情報記録再生装置に関し、特に、テレビ番組を録画予約する録画予約機能における録画延長処理に関する。
【背景技術】
【０００２】
ハードディスク装置（ハードディスクレコーダ）や光ディスク装置（ＤＶＤレコーダ）あるいはＶＣＲ（ビデオカセットレコーダ）などの情報記録再生装置のうち、アナログのテレビ放送信号を受信して選局するチューナの出力信号から電子番組表を取り出し、その電子番組表を用いてテレビ番組を録画予約できる録画予約機能を有する情報記録再生装置が普及している。
【０００３】
ところで、この種の情報記録再生装置を用いて、例えば、野球放送のテレビ番組を予約録画する場合，野球放送の延長によって、この録画予約している野球放送のテレビ番組が最後まで録画されないと言う録画漏れが生じる。そこで、この種の情報記録再生装置では、当該テレビ番組が番組延長される可能性があるかを調べるのに、電子番組表において当該テレビ番組が番組延長される可能性があることを示すキーワードである番組表中キーワードと、装置のメモリに予め登録されている番組延長と判断するために用いる番組延長キーワードとを比較し、両者が一致したとき、当該テレビ番組は放送時間が延長される可能性が番組であると判定し、その番組延長の時間を本来の番組終了時刻に対応する本来の録画終了時刻に加算し、番組延長が生じた場合に対処している。
【特許文献１】特開２００４−２７４６８５号公報
【特許文献２】特開２００４−２８９５６５号公報
【特許文献３】特開２００４−３３６６８３号公報
【発明の開示】
【発明が解決しようとする課題】
【０００４】
しかしながら、この種の従来の情報記録再生装置においては、電子番組表において当該テレビ番組の番組延長に関する言語表記が番組制作者により変えられた場合、電子番組表において当該テレビ番組が番組延長される可能性があることを示すキーワードである番組表中キーワードと、装置のメモリに予め登録されている番組延長と判断するために用いる番組延長キーワードとを比較しても、両者が一致しないので、当該テレビ番組は放送時間が延長される可能性が番組であることが分からず、番組延長が生じた場合に対処できないと言う課題があった。要するに、従来の情報記録再生装置では、予め登録しているキーワードで番組延長の可能性が有るテレビ番組であると判定しているので、想定外の番組延長を示すキーワードであると、番組延長の可能性が有ると判定できない。
【０００５】
なお、特許文献１の従来技術では、録画予約の内容が前もって設定されて延長条件リストに記憶されている延長条件を満足する場合には録画終了時刻を延長するものであるが、電子番組表において当該テレビ番組が番組延長される可能性があることを示すキーワードである番組表中キーワードと、装置のメモリに予め登録されている番組延長と判断するために用いる番組延長キーワードとを比較して、当該テレビ番組の番組延長があるか否かを判定するように構成されたものではない。
【０００６】
特許文献２の従来技術では、電子番組ガイド情報（電子番組表）の中から放送時間の延長の可能性の有無を表すキーワード（番組表中キーワード）を各番組について検索し、この検索結果に応じて録画開始時刻および録画終了時刻を変更するものであるが、電子番組表において当該テレビ番組の番組延長に関する言語表記が番組制作者により変えられた場合には、番組表中キーワードも変わり、前述した課題を解決することができない。
【０００７】
特許文献３の従来技術では、電子番組表の所定の範囲の文字列を検索し、この検索結果に応じて録画開始時刻および録画終了時刻を変更するものであるが、電子番組表において当該テレビ番組の番組延長に関する言語表記（電子番組表の所定の範囲の文字列）が番組制作者により変えられた場合には、前述した番組表中キーワードも変わり、前述した課題を解決することができない。
【０００８】
本発明は、上記のような課題を解決するためになされたもので、電子番組表において当該テレビ番組の番組延長に関する言語表記が番組制作者により変えられた場合であっても、放送時間が延長された録画予約のテレビ番組を最後まで録画できるようにする情報記録再生装置を提供することを目的とする。
【課題を解決するための手段】
【０００９】
上記目的を達成するために、請求項１の発明は、アナログのテレビ放送信号を受信して選局するチューナの出力信号から電子番組表を取り出し、その電子番組表を用いてテレビ番組を録画予約できる録画予約機能を有すると共に、記録媒体にテレビ番組やその他の情報を記録したり、記録媒体に記録されたテレビ番組やその他の情報を再生したりする情報記録再生装置において、予めメモリに登録されている番組延長と判断するために用いる番組延長キーワードに加えて、ユーザーが番組延長と判断するために任意に設定可能なユーザー設定キーワードを設け、前記電子番組表の中の所望のテレビ番組の情報の中に有る番組延長に関するキーワードである番組表中キーワードが、前記番組延長キーワードと一致したと判定したとき、または前記ユーザー設定キーワードと一致したと判定したとき、予め設定された延長時間を、前記所望のテレビ番組に対する録画予約の情報に含まれる録画終了時刻に加算して、その録画終了時刻を延長する制御を行うシステムコントローラを備えたことを特徴とする情報記録再生装置を提供する。
【００１０】
この構成においては、番組表中キーワードが、前記番組延長キーワードと一致したと判定されたとき、またはユーザー設定キーワードと一致したと判定されたとき、予め設定された延長時間が、所望のテレビ番組に対する録画予約の情報に含まれる録画終了時刻に加算されて、その録画終了時刻が延長される。
【００１１】
この構成によれば、電子番組表において当該テレビ番組の番組延長に関する言語表記が番組制作者により変えられた場合であっても、ユーザーが番組延長と判断するユーザー設定キーワードを任意に設定することで、装置の開発当時にメモリに予め記憶されている番組延長キーワードしか有していない装置であっても、前記ユーザー設定キーワードを想定外の番組延長を示すキーワードとして判定することができ、これにより、放送時間が延長された録画予約のテレビ番組の録画時間を延長させ、そのテレビ番組を最後まで録画できるようになる。
【００１２】
請求項２の発明では、請求項１の発明において、前記システムコントローラは、所望のテレビ番組に対する録画予約の情報がメモリに記憶された後、前記電子番組表の中の前記所望のテレビ番組の情報の中に有る番組延長に関するキーワードである番組表中キーワードがメモリに予め登録されている番組延長キーワードと一致するか否かを判定する第１のキーワード判定手段と、前記番組表中キーワードが前記番組延長キーワードと一致しないと判定されたとき、前記番組表中キーワードがユーザーにより設定されてメモリに格納されたユーザー設定キーワードと一致するか否かを判定する第２のキーワード判定手段と、前記番組表中キーワードが、前記番組延長キーワードと一致したと判定されたとき、または前記ユーザー設定キーワードと一致したと判定されたとき、予め設定された延長時間を、前記所望のテレビ番組に対する録画予約の情報に含まれる録画終了時刻に加算して、その録画終了時刻を延長する録画終了時刻延長手段とを有することを特徴とする。
【００１３】
この構成においては、所望のテレビ番組に対する録画予約の情報がメモリに記憶された後、番組表中キーワードが番組延長キーワードと一致するか否かが判定される。番組表中キーワードが番組延長キーワードと一致しないと判定されたとき、番組表中キーワードがユーザー設定キーワードと一致するか否かが判定される。番組表中キーワードが、番組延長キーワードと一致したと判定されたとき、またはユーザー設定キーワードと一致したと判定されたとき、予め設定された延長時間が、所望のテレビ番組に対する録画予約の情報に含まれる録画終了時刻に加算されて、その録画終了時刻が延長される。
【００１４】
この構成によれば、電子番組表において当該テレビ番組の番組延長に関する言語表記が番組制作者により変えられた場合であっても、ユーザーが番組延長と判断するユーザー設定キーワードを任意に設定することで、装置の開発当時にメモリに予め記憶されている番組延長キーワードしか有していない装置であっても、前記ユーザー設定キーワードを想定外の番組延長を示すキーワードとして判定することができ、これにより、放送時間が延長された録画予約のテレビ番組の録画時間を延長させ、そのテレビ番組を最後まで録画できるようになる。
【００１５】
請求項３の発明では、請求項２の発明において、前記録画終了時刻延長手段は、前記番組表中キーワードが前記番組延長キーワードと一致したと判定されたとき、または前記番組表中キーワードが前記ユーザー設定キーワードと一致したと判定されたとき、延長時間が予めジャンル毎に設定されているときはジャンルに応じた延長時間を、延長時間が予め固定に設定されているときは固定設定の延長時間を、延長時間が予めユーザーの操作により手動で設定されているときは手動設定の延長時間を、前記所望のテレビ番組に対する録画予約の情報に含まれる録画終了時刻に加算して、その録画終了時刻を延長するので、録画終了時刻の延長時間の設定は、ジャンル毎または固定またはユーザーの操作により自由に設定することができる。
【発明の効果】
【００１６】
以上のように本発明によれば、電子番組表において当該テレビ番組の番組延長に関する言語表記が番組制作者により変えられた場合であっても、ユーザーが番組延長と判断するユーザー設定キーワードを任意に設定することで、装置の開発当時にメモリに予め記憶されている番組延長キーワードしか有していない装置であっても、前記ユーザー設定キーワードを想定外の番組延長を示すキーワードとして判定することができ、これにより、放送時間が延長された録画予約のテレビ番組の録画時間を延長させ、そのテレビ番組を最後まで録画できるようになる。
【発明を実施するための最良の形態】
【００１７】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする録画延長機能は、複合型記録再生装置に限らず、単体のハードディスク装置や光ディスク装置に設ければ、同様な効果を得ることができる。また、アナログのテレビ放送信号を受信して選局するチューナの出力信号から電子番組表を取り出し、その電子番組表を用いてテレビ番組を録画予約できる録画予約機能を有するＶＣＲ（ビデオカセットレコーダ）においても、その録画延長機能を採用すれば、同様な効果が得られる。
【００１８】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのアナログのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムやデータあるいは録画予約の情報などを記憶するフラッシュＲＯＭ６と、システムコントローラ１０の動作に必要なデータを一時的に記憶するＲＡＭ１６とを備えている。
【００１９】
また、この複合型記録再生装置１は、デコーダ５で復号された映像信号をテレビジョン受像機１３のディスプレイ装置１３１で表示可能な映像信号に変換する映像出力部７と、タイトルリスト画面、番組表、広告、番組名、番組内容などをテレビジョン受像機１３のディスプレイ装置１３１に表示させるためのＯＳＤ（オン・スクリーン・ディスプレイ）部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２０】
システムコントローラ１０は、起動時にチューナ４からＥＰＧデータを取り込みフラッシュＲＯＭ６に記憶するＥＰＧ記憶処理手段と、所望のテレビ番組に対する録画予約の情報がフラッシュＲＯＭ６に記憶された後、前記電子番組表の中の前記所望のテレビ番組の情報の中に有る番組延長に関するキーワードである番組表中キーワードがフラッシュＲＯＭ６に予め登録されている番組延長キーワードと一致するか否かを判定する第１のキーワード判定手段と、前記番組表中キーワードが前記番組延長キーワードと一致しないと判定されたとき、前記番組表中キーワードがユーザーにより設定されてフラッシュＲＯＭ６に格納されたユーザー設定キーワードと一致するか否かを判定する第２のキーワード判定手段と、前記番組表中キーワードが前記番組延長キーワードと一致したと判定されたとき、または前記番組表中キーワードが前記ユーザー設定キーワードと一致したと判定されたとき、延長時間が予めジャンル毎に設定されているときはジャンルに応じた延長時間を、延長時間が予め固定に設定されているときは固定設定の延長時間を、延長時間が予めユーザーの操作により手動で設定されているときは手動設定の延長時間を、前記所望のテレビ番組に対する録画予約の情報に含まれる録画終了時刻に加算して、その録画終了時刻を延長する録画終了時刻延長手段とを有する。
【００２１】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、機能一覧キー２１７、上方向キー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、ＨＤＤモード切換キー２３１、ＤＶＤモード切換キー２３２などが配置されている。なお、ここでのキーの配置および個数は一例であるので、これに限ることはない。
【００２２】
図３は本実施形態において録画予約画面の一例を示す図である。この録画予約画面では、録画予約したいテレビ番組が放送される放送局のチャンネル、録画する日付、録画開示時刻、録画終了時刻、録画モード、放送時間の延長がある場合の録画延長時間、およびテレビ番組を録画する記録媒体のディスクが表示されている。例えば、２チャンネルで４月２日のＰＭ６時からＰＭ７時まで放送されるテレビ番組をＡとすると、このテレビ番組Ａを録画予約するのに、電子番組表からテレビ番組Ａの情報を取り出して、録画予約を行うと、図３に示す録画予約画面で示すように、録画予約情報として、チャンネル「２」、日付「４／２０」、録画開始時刻「ＰＭ６：００」、録画終了時刻「ＰＭ７：００」、予め入力されている録画モード「ＳＰ」、記録媒体のディスクがハードディスクであることを示す「ＤＶＤ」が設定される。
【００２３】
また、８チャンネルで５月８日のＰＭ７時からＰＭ９時まで放送されるテレビ番組をＢとすると、このテレビ番組Ｂを録画予約するのに、電子番組表からテレビ番組Ｂの情報を取り出して、録画予約を行うと、図３に示す録画予約画面で示すように、録画予約情報として、チャンネル「８」、日付「５／８」、録画開始時刻「ＰＭ７：００」、録画終了時刻「ＰＭ９：００」、予め入力されている録画モード「ＳＰ」、放送時間が４５分延長される可能性がある場合に対応した録画延長時間「０：４５」、記録媒体のディスクがハードディスクであることを示す「ＨＤＤ」が設定される。
【００２４】
図４は本実施形態においてテレビ番組の放送が延長される可能性がある場合の録画予約延長処理を説明するためのフローチャートである。このフローチャートおよび図１〜図３を参照してテレビ番組の放送が延長される可能性がある場合の録画予約延長処理について説明する。
【００２５】
先ず、ユーザーは、所望のテレビ番組を録画予約したい場合、リモコン１１の機能一覧キー２１７を押下して、ディスプレイ装置１３１に機能一覧画面を表示させ、この機能一覧画面に表示された項目の中から「録画予約」の項目を、リモコン１１の上方向キー２１８、下方向キー２１９、左方向キー２２０、右方向キー２２１などの操作により選択し、決定キー２２２の押下により決定すると、システムコントローラ１０は、録画予約画面の表示指示がされたことを検知し（ステップＳ１）、フラッシュＲＯＭ６から録画予約画面データを読み出して、ＯＳＤ部１２でＯＳＤ処理させ、映像出力部７より録画予約画面の映像信号を出力させる。これにより、テレビジョン受像機１３のディスプレイ装置１３１は、映像出力部７から入力された録画予約画面の映像信号に基づいて録画予約画面（図３参照）を表示させる（ステップＳ２）。
【００２６】
ここで、ユーザーは、録画予約画面を見て、録画予約したいテレビ番組に関する録画予約情報（チャンネル、録画の日付、録画開示時刻、録画終了時刻、録画モード、録画延長の可能性がある場合には録画延長時間、テレビ番組を録画させるディスク）を、リモコン１１を操作して入力して決定すると、システムコントローラ１０は、当該テレビ番組に対する録画予約の登録がされたことを検知し（ステップＳ３）、その録画予約情報をフラッシュＲＯＭ６に記憶させる（ステップＳ４）。
【００２７】
なお、録画予約情報は、電子番組表（ＥＰＧ）をディスプレイ装置１３１に表示させ、その電子番組表から録画予約したいテレビ番組を指定すると、録画予約画面において、予め入力されている録画モードとディスク以外の、チャンネル、録画の日付、録画開示時刻、録画終了時刻、録画延長時間が入力されることにより、登録することも可能である。また、録画予約情報は、新聞の番組表に掲載されているＧコードを入力することによっても、登録することが可能である。電子番組表は、システムコントローラ１０のＥＰＧ記憶処理手段により、装置の起動時にチューナ４からＥＰＧデータを取り込みフラッシュＲＯＭ６に記憶されるので、必要なときにフラッシュＲＯＭ６から読み出せば良い。
【００２８】
録画予約情報がフラッシュＲＯＭ６に記憶された後、システムコントローラ１０は、録画予約したテレビ番組に延長の可能性が有るか否かを調べるため、延長可能性番組の検索を開始する（ステップＳ５）。この延長可能性番組の検索が開始されると、システムコントローラ１０の第１のキーワード判定手段は、所望のテレビ番組に対する録画予約情報がフラッシュＲＯＭ６に記憶された後、電子番組表の中の前記所望のテレビ番組の情報の中に有る番組延長に関するキーワードである番組表中キーワードが、フラッシュＲＯＭ６に予め登録されている番組延長キーワードと一致するか否かを判定する（ステップＳ６）。
【００２９】
前記番組表中キーワードが前記番組延長キーワードと一致しないと判定されたとき、システムコントローラ１０の第２のキーワード判定手段は、前記番組表中キーワードが、ユーザーにより設定されてフラッシュＲＯＭ６に格納されたユーザー設定キーワードと一致するか否かを判定する（ステップＳ７）。なお、ユーザーが、前記ユーザー設定キーワードの設定を行う場合は、リモコン１１を操作して、番組延長を行うか行わないかの選択を行うため選択項目が示される番組延長選択画面をディスプレイ装置１３１に表示させ、番組延長を行う選択項目を選択すると、「キーワードを入力して下さい」と言うメッセージが表示され、この指示に従って、「延長」と同じような意味を示す表記、例えば、「遅延」などをリモコン操作により入力することにより、前記ユーザー設定キーワードがフラッシュＲＯＭ６に記憶される。
【００３０】
前記番組表中キーワードが前記番組延長キーワードと一致したと判定されたとき、または前記番組表中キーワードが前記ユーザー設定キーワードと一致したと判定されたとき、システムコントローラ１０の録画終了時刻延長手段は、延長時間が予めジャンル毎に設定されているときはジャンルに応じた延長時間を、延長時間が予め固定に設定されているときは固定設定の延長時間を、延長時間が予めユーザーの操作により手動で設定されているときは手動設定の延長時間を、フラッシュＲＯＭ６から読み出し（ステップＳ８）、前記所望のテレビ番組に対する録画予約の情報に含まれる録画終了時刻に加算して、その録画終了時刻を延長する（ステップＳ９）。
【００３１】
前記ジャンルに応じた延長時間は、例えば、野球放送であれば４５分とか、ドラマであれば２０分とかに設定される。固定設定の延長時間は、例えば、３０分とかに設定される。手動設定の延長時間は、ユーザーがリモコン操作により、任意に設定される。これらの延長時間の設定は、延長時間設定画面をディスプレイ装置１３１に表示させ、この延長時間設定画面に表示された項目「ジャンル対応延長時間」または項目「固定延長時間」または項目「手動設定延長時間」を選択し、延長時間を入力することにより延長時間の設定が可能となる。
【００３２】
以上説明したように本実施形態によれば、電子番組表において当該テレビ番組の番組延長に関する言語表記が番組制作者により変えられた場合であっても、ユーザーが番組延長と判断するユーザー設定キーワードを任意に設定することで、装置の開発当時にフラッシュＲＯＭに予め記憶されている番組延長キーワードしか有していない装置であっても、前記ユーザー設定キーワードを想定外の番組延長を示すキーワードとして判定することができ、これにより、放送時間が延長された録画予約のテレビ番組の録画時間を延長させ、そのテレビ番組を最後まで録画することができるようになる。
【産業上の利用可能性】
【００３３】
本発明は、ハードディスクレコーダやＤＶＤレコーダあるいはＶＣＲなどの情報記録再生装置における録画予約機能に利用可能であり、特に録画予約したテレビ番組の放送時間が延長された場合でも、最後まで録画できるようになる。
【図面の簡単な説明】
【００３４】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態において録画予約画面の一例を示す図である。
【図４】前記実施形態においてテレビ番組の放送が延長される可能性がある場合の録画予約延長処理を説明するためのフローチャートである。
【符号の説明】
【００３５】
１    複合型記録再生装置（情報記録再生装置）
４    チューナ
６    フラッシュＲＯＭ（メモリ）
１０    システムコントローラ（第１のキーワード判定手段、第２のキーワード判定手段、録画終了時刻延長手段）
【図１】
2008283628.tif 000003
【図２】
2008283628.tif 000004
【図３】
2008283628.tif 000005
【図４】
2008283628.tif 000006